(57)【特許請求の範囲】
【請求項１】
充電回路を内蔵し、かつ電源差込プラグ（２）を備えた本体ケース（３）と、本体ケース（３）から導出され、先端に被充電機器（６）の外部機器接続端子（７）に接離可能に接続する充電プラグ（５）を有する出力用コード（４）とを備えた充電器において、
前記本体ケース（３）の外側一面には凹所（１２）が設けられており、この凹所（１２）に前記充電プラグ（５）が着脱自在に収納されるようになっており、
前記充電プラグ（５）の充電端子（９）の左右両側面には、被充電機器（６）の外部機器接続端子（７）の左右両側部に係脱するロック爪（１０）が出没動作自在に設けられており、充電プラグ（５）の左右側面には、当該ロック爪（１０）を出没操作するためのプッシュ式の操作ボタン（１１）が設けられており、
前記操作ボタン（１１）は、充電プラグ（５）内に押し込まれた投入状態と、充電プラグ（５）から突出する突出状態との間で出没自在に形成されており、常態においてはバネ作用により突出状態に付勢されており、
左右の操作ボタン（１１）を投入状態に押し込んだまま前記凹所（１２）内に収容し、収容後に操作ボタン（１１）がバネ作用で突出状態に自動復帰することで、該操作ボタン（１１）が前記凹所（１２）内の左右の側面に係合して、離脱防止が図られるように構成されていることを特徴とする充電器。
【発明の詳細な説明】
【０００１】
【発明の属する技術分野】
本発明は、ＡＣコンセントや車載のシガライターソケットなどに差し込んで携帯電話器や電子手帳などの充電池を内蔵した被充電機器を充電する充電器に関する。
【０００２】
【従来の技術】
ＡＣコンセントやシガライターソケットなどに差し込んで充電するＡＣアダプターやシガライター用充電器は、充電回路を内蔵した本体ケースから出力用コードを導出し、この出力用コードの先端に備えた充電プラグを携帯電話器や電子手帳など被充電機器の外部機器接続端子に接続するものとなっている。
【０００３】
【発明が解決しようとする課題】
しかるに、この種の充電器では、出力用コードの先端の充電プラグが本体ケースから垂れ下がったままのむき出し状態にあり、このため充電プラグが塵埃付着や砂埃、水侵入で汚れたり、他物の触れや踏み付けによって変形や破損を加えられるおそれがあり、また電源に差し込まれたまま充電プラグにゼムクリップ、虫ピンなど金属類が侵入してショートを起こすなど、感電や故障の原因になっていた。
【０００４】
本発明の目的は、このような問題を解消するためになされたもので、不使用時や携帯時における充電プラグの保護を図れる充電器を提供することにある。また本発明の目的はコンパクト化を図れ、携帯性に優れる充電器を提供することにある。
【０００５】
【課題を解決するための手段】
本発明は、充電回路を内蔵し、かつ電源差込プラグ２を備えた本体ケース３と、本体ケース３から導出され、先端に被充電機器６の外部機器接続端子７に接離可能に接続する充電プラグ５を有する出力用コード４とを備えた充電器において、前記本体ケース３の外側一面には凹所１２が設けられており、この凹所１２に前記充電プラグ５が着脱自在に収納されるようになっている。
前記充電プラグ５の充電端子９の左右両側面には、被充電機器６の外部機器接続端子７の左右両側部に係脱するロック爪１０が出没動作自在に設けられており、充電プラグ５の左右側面には、当該ロック爪１０を出没操作するためのプッシュ式の操作ボタン１１が設けられており、前記操作ボタン１１は、充電プラグ５内に押し込まれた投入状態と、充電プラグ５から突出する突出状態との間で出没自在に形成されており、常態においてはバネ作用により突出状態に付勢されている。
そして、左右の操作ボタン１１を投入状態に押し込んだまま前記凹所１２内に収容し、収容後に操作ボタン１１がバネ作用で突出状態に自動復帰することで、該操作ボタン１１が前記凹所１２内の左右の側面に係合して、離脱防止が図られるように構成されていることを特徴とする。
【０００６】
【作用】
携帯電話器など被充電機器６を充電するには、ＡＣコンセントまたはシガライターソケットなどに電源差込プラグ２を差し込み、充電プラグ５を本体ケース３の凹所１２から取り出して被充電機器６の外部機器接続端子７に接続することによって充電に供される。
使用後には、充電プラグ５を本体ケース３の凹所１２に収納する。このように収納された充電プラグ５は、凹所１２を形造る壁面で覆うことができるため、塵埃付着、砂埃や水侵入から防護でき、また他物との触れや踏み付けからも防護できる。また充電プラグ５を本体ケース３上に嵩張ることなく、コンパクトに納めることができて携帯性に優れる。
【０００７】
【発明の実施の形態】
（第１実施例）
図１および図２は本発明に係る充電器の第１実施例を示す。図１において、１はＡＣコンセントに差し込んで充電する充電器で、充電完了制御する急速充電回路や制御機能のない細流充電回路のような種々の周知の充電回路（図示省略）を内蔵し、かつ電源差込プラグ２を突出姿勢と収納姿勢とにわたって回動自在に備えた本体ケース３と、本体ケース３から導出された出力用コード４とを備え、出力用コード４の先端には充電プラグ５を設けている。６は被充電機器を例示する携帯電話器であり、これ以外に電子カメラやノートパソコン、電子手帳などの小型電気機器を充電対象にすることもできる。
【０００８】
本体ケース３は直方形状に形成してなり、これに内蔵する充電回路は降圧回路で、ＡＣ電源１００Ｖを3.６〜7.２Ｖに降圧して携帯電話器６を２〜３回使用可能な容量分だけ急速充電できるものとする。勿論、満充電まで充電することもできる。
本体ケース３の背面３ａ上に上記電源差込プラグ２が備えられ、本体ケース３の下面３ｂから上記出力用コード４が導出される。出力用コード４の先端の充電プラグ５の先端には、携帯電話器６の複合入出力端子コネクターなどのような外部機器接続端子７に差し込み接続される充電端子９を備える。外部機器接続端子７に充電プラグ５を差し込んだ場合、不用意に充電プラグ５が抜け出るのを防止するために、充電プラグ５の左右両側面に、携帯電話器６の外部機器接続端子７内の左右両側部に係脱するロック爪１０を出没動作自在に備える。このロック爪１０の出没操作は、充電プラグ５の左右側面にバネ力を利用して出没自在に備えたプッシュ式の操作ボタン１１で行われる。
【０００９】
本体ケース３の背面３ａ上における電源差込プラグ２より下方部位には、充電プラグ５の外形と略合致する形状の凹所１２が後方および下方開放状に形成され、この凹所１２に充電プラグ５を後方または下方から嵌め込んで図２に示すごとく収納する。
その際、充電プラグ５が凹所１２から不用意に離脱しないようにすることが好ましい。この離脱防止手段としては、例えば、充電プラグ５を凹所１２に強めに嵌め込んで、充電プラグ５の左右側面と凹所１２内の左右の壁面１２ａ・１２ａとの摩擦係合力でその離脱防止を図る。また、左右の操作ボタン１１を没入状態に押し込んだまま凹所１２内に収納し、収納後操作ボタン１１がバネ作用で突出状態に自動復帰することで該操作ボタン１１が凹所１２内の左右の壁面１２ａ・１２ａに凹凸または面摩擦係合するようにしても同様にその離脱防止を図ることができる。さらに、図示例のように充電プラグ５の左右両側面の下部を下方狭まり状に形成し、これに対応して凹所１２の下方開放部を狭幅にしぼる形状に形成しておけば、充電プラグ５が凹所１２から下方へ抜け出るのを規制できる。またはこれら手段を組合わせることもできる。
【００１０】
このように充電プラグ５を本体ケース３の凹所１２内に収納すると、凹所１２内の左右の壁面１２ａ・１２ａや上方の壁面１２ｂで充電端子９部分を囲むことができるため、充電端子９への塵埃付着や水侵入を防止でき、また他物の触れや踏み付けによって損傷するのを防止できる。また充電プラグ５を本体ケース３の背面３ａとほぼ面一状かそれ以下になるよう凹所１２の深さ寸法を設定すれば、プラグ５が不用意に脱落するのを抑制できるとともに、嵩張ることなく、コンパクトに収納することができる。
【００１１】
上記構成において、携帯電話器６を急速充電するには、電源差込プラグ２を本体ケース３から突出させてＡＣコンセントに差し込み、充電プラグ５を凹所１２から取り外して携帯電話器６の外部機器接続端子７に差し込み接続することにより急速充電を可能にする。この場合、図２に示すように出力用コード４の本体ケース３側からの導出位置と、充電プラグ５側の収納状態での導出位置とを左右方向にずらすことにより、充電プラグ５の着脱時に本体ケース３側の出力用コード４が邪魔にならなくなる。
充電後には、電源差込プラグ２をＡＣコンセントから抜き出して本体ケース３に収納回動させる。充電プラグ５は携帯電話器６の外部機器接続端子７から抜き出して本体ケース３の凹所１２に収納することで前述したような保護状態にかつコンパクトに収納することができる。
【００１２】
上記実施例では、本体ケース３の背面３ａに凹所１２を設けているが、その正面３ｃに凹所１２を設けることもできる。
【００１３】
（第２実施例）
図３および図４は本発明の第２実施例を示す。この実施例の充電器は車載のシガライターソケットに差し込んで充電する充電器で、周知の充電回路（図示省略）を内蔵し、かつシガライターソケットに差し込む丸棒状の電源差込プラグ２を備えた本体ケース３と、本体ケース３から導出された出力用コード４とを備え、出力用コード４の先端には充電プラグ５を設けている。
【００１４】
本体ケース３は直方形状に形成してなり、これに内蔵する充電回路は降圧回路で、シガライター電源１２Ｖや２４Ｖを3.６〜7.２Ｖに降圧して携帯電話器６を２〜３回使用可能な容量分だけ急速充電できるものとする。
本体ケース３の背面３ａ上に上記電源差込プラグ２が後方へ上向き傾斜状に突設され、本体ケース３の下面３ｂから上記出力用コード４が導出される。出力用コード４の先端の充電プラグ５の先端には、第１実施例の場合と同様に、携帯電話器６の外部機器接続端子７に差し込まれる充電端子９を備え、この充電端子９の左右両側面にロック爪１０を、充電プラグ５の左右側面に出没自在なプッシュ式の操作ボタン１１をそれぞれ備えている。
【００１５】
本体ケース３の正面３ｃにはこれの上半部位に庇部１５を盛り上がり状に形成するとともに、下半部位に凹所１２を前方、左右側方および下方開放状に形成し、この凹所１２に左右一対の係合突起１４・１４を設ける。そして凹所１２内の係合突起１４・１４間に充電プラグ５が、左右の操作ボタン１１・１１が係合突起１４・１４の対向内面の突部１４ａ・１４ａで押圧されるように収納配置される。そのほかに、充電プラグ５は左右両側部の操作ボタン１１・１１以外の箇所を、上記係合突起１４・１４間に強めに嵌め込むことにより、凹所１２内の係合突起１４・１４間で挟持する吊り下げ状態に収納することもできる。
【００１６】
このように本体ケース３の凹所１２に収納された充電プラグ５は、充電端子９が凹所１２の上方の庇部１５で覆われるように納められるため、充電端子９への塵埃付着や砂埃、水侵入から防護できる。また、そのように充電プラグ５を本体ケース３上に収納配置しておくと、車床に垂れ下がっている場合によくみられる踏み付けなどからもよく防護できる。
【００１７】
上記実施例では、本体ケース３の正面３ｃに凹所１２を設けているが、その背面３ａ上の電源差込プラグ２より下方部位に凹所１２を設けることもできる。
上記凹所１２を形成する手段としては、第３実施例を示す図５のように本体ケース３の平坦な正面３ｃ上に、それとは別体または一体に庇部１５を設けるものであってもよい。一対の係合突起１４・１４はこれ全体を図５に示すごとく板バネなどで弾力性を有する形状に形成すれば、操作ボタン１１のもつ弾力に依存することなく、凹所１２に着脱可能に装着することができる。また、係合突起１４は、第４実施例を示す図６のごとく開離部１４ｂを有する断面Ｃ形の単一体で構成し、その開離部１４ｂから充電プラグ５のコードアーマ部分を抜き差し自在とすることもでき、これによれば装着性が良い。さらに、凹所１２の形状としては、第５実施例を示す図７のように本体ケース３の正面３ｃに、充電プラグ５の縦断面形状にほぼ合致する縦長のスロット形状に形成し、このスロット形状の凹所１２に、充電プラグ５をこれの左右一側方から抜き差し自在に装着できるようにするものであってもよい。
【００１８】
【発明の効果】
本発明によれば、不使用時に充電プラグ５を本体ケース３の凹所１２に収納することで塵埃付着や砂埃、水侵入、および損傷から防護することができる。また本体ケース３に対し充電プラグ５をコンパクトに納めることができて携帯性に優れる。
【図面の簡単な説明】
【図１】第１実施例の充電器と携帯電話器の斜視図である。
【図２】図１に示す充電器に充電プラグを収納した状態を示す斜視図である。
【図３】第２実施例の充電器の正面図である。
【図４】図３に示す充電器に充電プラグを収納した状態で示す側面図である。
【図５】第３実施例の充電器の斜視図である。
【図６】第４実施例の充電器の斜視図である。
【図７】第５実施例の充電器の斜視図である。
【符号の説明】
１  充電器
２  電源差込プラグ
３  本体ケース
４  出力用コード
５  充電プラグ
６  被充電機器
７  外部機器接続端子
１２  凹所
【図１】
0003992119.tif 000002
【図２】
0003992119.tif 000003
【図３】
0003992119.tif 000004
【図４】
0003992119.tif 000005
【図５】
0003992119.tif 000006
【図６】
0003992119.tif 000007
【図７】
0003992119.tif 000008